(57)【特許請求の範囲】
【請求項１】
細長状の把手部と取付部（２２）とを備えるハンドル（２０）と、
前記取付部（２２）に取り付けられ、背面構造（４８）を有するシェーバヘッド（４０）と、
少なくとも一枚の刃（６３）を備え、前記シェーバヘッド（４０）に取り付けられかつ前記シェーバヘッド（４０）から取り外しできるように構成された取り外し可能なカートリッジ（６０）と、
前記シェーバヘッド（４０）の背面構造（４８）に設けられ、スナップ接続によって前記カートリッジ（６０）を前記シェーバヘッド（４０）に取り付けるように構成された少なくとも一つの弾性部材（４５）と、
を備え、
前記カートリッジは、一対の保持部を備え、前記一対の保持部は、一対の平行なバーの形状で設けられ、
前記シェーバヘッド（４０）に隣接する前記ハンドル（２０）の頂部にはまた、ボタン（３０）が設けられ、
前記ボタン（３０）は、プッシャー（３１）をさらに備え、前記プッシャーは、前記シェーバヘッド（４０）の方向に前記ボタン（３０）から延びる一対の突起物を備えている、シェーバ。
【請求項２】
前記シェーバヘッド（４０）は、前記取付部（２２）に枢動可能に取り付けられることを特徴とする請求項１に記載のシェーバ。
【請求項３】
前記弾性部材（４５）は、
平面中央部（４５Ａ）と、
底部（４５Ｂ）と、
終端部（４５Ｃ）と、
延伸部（４５Ｄ）と、
を備え、
前記底部（４５Ｂ）と前記終端部（４５Ｃ）とは、前記平面中央部（４５Ａ）から突出することを特徴とする請求項１または２に記載のシェーバ。
【請求項４】
前記弾性部材（４５）の前記底部（４５Ｂ）と前記終端部（４５Ｃ）とは、前記延伸部（４５Ｄ）によって相互接続されていることを特徴とする請求項３に記載のシェーバ。
【請求項５】
前記弾性部材（４５）は金属で作られていることを特徴とする請求項１ないし４のいずれか一項に記載のシェーバ。
【請求項６】
前記弾性部材（４５）は板バネであることを特徴とする請求項１ないし５のいずれか一項に記載のシェーバ。
【請求項７】
前記カートリッジ（６０）は、剃る方向に対して直角となる方向において、取り出されることを特徴とする請求項１ないし６のいずれか一項に記載のシェーバ。
【請求項８】
前記シェーバヘッド（４０）の前記背面構造（４８）は、前記弾性部材（４５）を収容しかつ支持するように構成された弾性部材保持部（４３）をさらに備えることを特徴とする請求項１ないし７のいずれか一項に記載のシェーバ。
【請求項９】
前記シェーバヘッド（４０）は、底壁（４６）と保護部とをさらに備え、前記保護部は、前記底壁（４６）に隣接して配置されていることを特徴とする請求項１ないし８のいずれか一項に記載のシェーバ。
【請求項１０】
前記カートリッジ（６０）は、少なくとも一つの保持部（６５）を備え、前記弾性部材（４５）の延伸部（４５Ｄ）は、前記カートリッジ（６０）が挿入されると、前記カートリッジ（６０）の前記少なくとも一つの保持部（６５）にスナップ接続されることを特徴とする請求項１ないし９のいずれか一項に記載のシェーバ。
【請求項１１】
前記ハンドル（２０）は、摺動可能なボタン（３０）をさらに備え、前記ボタン（３０）は、プッシャー（３１）を備え、前記プッシャー（３１）は、前記少なくとも一つの保持部（６５）と接し、これにより前記シェーバヘッド（４０）から前記カートリッジ（６０）を取り外すように構成されていることを特徴とする請求項１ないし１０のいずれか一項に記載のシェーバ。
【請求項１２】
前記カートリッジ（６０）は、頂壁（６１）と、底壁（６７）と、少なくとも一つの保持部（６５）と、を備え、前記保持部（６５）は、前記頂壁（６１）と前記底壁（６７）との間に延びていることを特徴とする請求項１ないし１１のいずれか一項に記載のシェーバと共に使用されるカートリッジ。
【請求項１３】
前記カートリッジ（６０）は、頂壁（６１）とシェービング補助具（６８Ｂ）とをさらに備え、前記シェービング補助具（６８Ｂ）は、前記頂壁（６１）に設けられていることを特徴とする請求項１２に記載のカートリッジ。
【請求項１４】
前記カートリッジ（６０）は、少なくとも一枚の刃を備え、前記少なくとも一枚の刃（６３）は、可動であるように取り付けられていることを特徴とする請求項１２または１３に記載のカートリッジ。
【請求項１５】
請求項１ないし１１のいずれか一項に記載のシェーバ用のヘッド・ハンドル組立品であって、
細長状の把手部と取付部（２２）とを備えるハンドル（２０）と、
前記取付部（２２）に取り付けられ、カートリッジ（６０）を受容するように構成され、背面構造（４８）を有するシェーバヘッド（４０）と、
前記シェーバヘッド（４０）の前記背面構造（４８）に設けられ、スナップ接続によって前記カートリッジ（６０）を前記シェーバヘッド（４０）に取り付けるように構成された弾性部材（４５）と、
を備えていることを特徴とするヘッド・ハンドル組立品。
【請求項１６】
前記シェーバヘッド（４０）は、枢動可能に前記取付部（２２）に取り付けられていることを特徴とする請求項１５に記載のヘッド・ハンドル組立品。
【請求項１７】
前記弾性部材（４５）は、
平面中央部（４５Ａ）と、
底部（４５Ｂ）と、
終端部（４５Ｃ）と、
延伸部（４５Ｄ）と、
を備え、
前記底部（４５Ｂ）と前記終端部（４５Ｃ）とが、前記平面中央部（４５Ａ）から突出していることを特徴とする請求項１５または１６に記載のヘッド・ハンドル組立品。
【請求項１８】
前記弾性部材（４５）の前記底部（４５Ｂ）と前記終端部（４５Ｃ）とは、前記延伸部（４５Ｄ）によって相互接続されていることを特徴とする請求項１７に記載のヘッド・ハンドル組立品。
【請求項１９】
前記シェーバヘッド（４０）は、底壁（４６）と保護部とをさらに備え、前記保護部は、前記底壁（４６）に隣接して配置されていることを特徴とする請求項１５ないし１８のいずれか一項に記載のヘッド・ハンドル組立品。
【発明の詳細な説明】
【技術分野】
【０００１】
本発明は、交換可能なカートリッジを備えるシェーバと、このようなシェーバのためのカートリッジ及びヘッド・ハンドル組立品と、に関する。
【０００２】
より詳細には、本発明は、
−  シェーバヘッドを保持するための取付部分において終端する細長状体を備えるハンドルと、
−  交換可能なシェービングカートリッジを収容するように構成されたシェーバヘッドと、
−  交換可能なシェービングカートリッジを、シェーバヘッドに取り付け及び取り外しができるようにするための固定／解除機構と、
−  一枚のまたは複数枚の刃を含む交換可能なカートリッジと、
を備えるシェーバに関する。
【０００３】
このようなシェーバは、ハンドル及びシェーバヘッドが維持及び再使用が可能でありながら、一枚のまたは複数の刃が摩耗した時点で、ユーザがカートリッジを交換できるようにするものである。
【背景技術】
【０００４】
例えば、特許文献１に開示されているような、交換可能な刃カートリッジのシェーバヘッドからの取り外しには、通常、実際にカートリッジを取り換えるために、ユーザがカートリッジを押すか引っ張る必要がある。すなわち、カートリッジを交換するためには、ユーザは自身の指でカートリッジに触れる必要があるということである。それゆえ、ユーザが負傷する危険性が高くなる。
【先行技術文献】
【特許文献】
【０００５】
【特許文献１】欧州特許出願公開第２１９５１４５号明細書
【発明の概要】
【課題を解決するための手段】
【０００６】
本発明の目的は、細長状の把手部と取付部とを備えるハンドルと、取付部に取り付けられ、背面構造を備えるシェーバヘッドと、少なくとも一枚の刃を備え、シェーバヘッドに取り付けられかつシェーバヘッドから取り外しできるように構成された取り外し可能なカートリッジと、シェーバヘッドの背面構造に設けられ、カートリッジをシェーバヘッドにスナップ接続により取り付けられるように構成されている少なくとも一つの弾性部材と、を備える、シェーバを提供することである。
【０００７】
いくつかの実施例において、以下に記載する特徴の一つ又は複数を使用してもよい。
−  シェーバヘッドは、枢動可能に取付部に取り付けられてもよいこと、
−  弾性部材は、平面中央部と、底部と、終端部と、延伸部と、を備え、底部と終端部とが、平面中央部から突出していること、
−  弾性部材の底部と終端部とは、延伸部によって相互接続されていること、
−  弾性部材は、金属で作られていること、
−  弾性部材は、板バネであること、
−  カートリッジは、剃る方向に対して直角となる方向において、取り出されること、
−  シェーバヘッドの背面構造は、弾性部材を収容しかつ保持するように構成された弾性部材保持部をさらに備えること、
−  シェーバヘッドは、底壁と保護部とをさらに備え、保護部は、底部に隣接して配置されていること、
−  カートリッジは、少なくとも一つの保持部を備え、弾性部材の延伸部は、カートリッジが挿入されると、カートリッジの少なくとも一つの保持部にスナップ接続されること、
−  ハンドルは、摺動可能なボタンをさらに備え、ボタンは、プッシャ―を備え、プッシャーは、少なくとも一つの保持部と接し、これによりシェーバヘッドからカートリッジを取り外すように構成されていること。
【０００８】
本発明のもう一つの態様において、カートリッジが設けられている。カートリッジは、頂壁と、底壁と、少なくとも一つの保持部と、を備えており、保持部は、頂壁と底壁との間に延びている。いくつかの実施例において、以下に記載する特徴の一つ又は複数を使用してもよい。
−  カートリッジは、一対の保持部を備え、保持部の組は、一対の平行なバーの形状であること、
−  カートリッジは、頂壁とシェービング補助具とをさらに備え、シェービング補助具は、頂壁に設けられていること、
−  カートリッジは、少なくとも一枚の刃を備え、少なくとも一枚の刃は可動であるように取り付けられていること。
【０００９】
本発明のさらにもう一つの態様において、シェーバ用のヘッド・ハンドル組立品が設けられており、ヘッド・ハンドル組立品は、細長状の把手部と取付部とを備えるハンドルと、取付部に取り付けられ、カートリッジを受容するように構成され、背面構造を有するシェーバヘッドと、シェーバヘッドの背面構造に設けられ、カートリッジをシェーバヘッドに取り付けるように構成されている弾性部材と、を備えている。
【００１０】
上記ヘッド・ハンドル組立品は、以下に記載する特徴の一つ又は複数をさらに使用してもよい。
−  シェーバヘッドは、枢動可能に取付部に取り付けられてもよいこと、
−  弾性部材は、平面中央部と、底部と、終端部と、延伸部とを備え、底部と終端部とが、平面中央部から突出していること、
−  弾性部材の底部と終端部とは、延伸部によって相互接続されていること、
−  シェーバヘッドは、底壁と保護部とをさらに備え、保護部は、底部に隣接して配置されていること。
【発明の効果】
【００１１】
これらの特徴によって、シェーバヘッド及びカートリッジの構造は単純化され、よって製造費用が削減される。また、刃が摩耗した際に、シェーバヘッド全体を交換する代わりに、カートリッジのみを交換するので、こうしたシェーバの費用は低く抑えられ、シェーバヘッドとハンドルの経済的弾力性及び寿命が向上する。さらに、カートリッジのみを交換するため、このシェーバは製造が容易であって、交換される（そして廃棄される）ことになる材料の量が削減されるために、より環境に優しいものになる。
【００１２】
本発明のその他の特徴と利点は、非限定的例として提供される本発明の実施例のうちの一つの、以下に記載される記述と、添付の図面の記載とから、容易に示されるであろう。
【図面の簡単な説明】
【００１３】
【図１ａ】シェーバの前面からの全体図である。
【図１ｂ】シェーバの背面からの全体図である。
【図１ｃ】シェーバの線Ｉｃに沿う断面図である。
【図２ａ】ハンドルの前部分の図である。
【図２ｂ】カム従動子とバネとを備えたハンドルの前部分の図である。
【図３】シェーバヘッドの中に挿入されたカートリッジの線IIIに沿う断面図である。
【図４ａ】カートリッジを備えていないシェーバヘッドの前面からの図である。
【図４ｂ】カートリッジを備えていないシェーバヘッドの背面からの図である。
【図５ａ】カートリッジの前面図である。
【図５ｂ】カートリッジの図である。
【図５ｃ】カートリッジの背面図である。
【図６ａ】弾性部材の全体図である。
【図６ｂ】弾性部材の側面図である。
【図７ａ】ボタンの上面図である。
【図７ｂ】ボタンの底面図である。
【図７ｃ】ボタンの全体図である。
【発明を実施するための形態】
【００１４】
異なる図面上において、同じ参照記号は、同類の又は類似の要素を指定する。
【００１５】
図１ａないし図１ｃは、本発明によるシェーバの一実施例を示している。シェーバは、ハンドル２０と、シェーバヘッド４０と、一枚または複数枚の刃６３を収容するカートリッジ６０と、を備えている。図面上に示された実施例には、４枚の刃がある。しかしながら、カートリッジにはこれより多いかまたは少ない枚数の刃を用いてもよい。
【００１６】
カートリッジ６０（図３、図５ａ及び図５ｂ参照）は、頂壁６１と、二つの側壁６２と、底壁６７と、背面構造（図５ｂ及び図５ｃに詳細に図示）と、を備えるフレームとして形成されている。頂壁６１及び底壁６７は、細長い形状をしおり、側壁６２によって連結されている。カートリッジ６０のフレームは、プラスチックから成形されてもよく、好ましくは、フレームは一体成形である。頂壁６１は、シェービング補助具保持部材６８をさらに備えてもよい。シェービング補助具保持部材６８は、好ましくは頂壁６１から上方へ突出している。シェービング補助具保持部材６８は、シェービング補助具６８Ｂを収容する。刃６３は、側壁６２間に延び、頂壁６１と底壁６７とに対して平行である。刃６３は、湾曲した金属薄板から作られてよく、または好ましくは、直線で、刃支持具６３Ａによって支持されてもよい。刃６３及び／または刃支持具６３Ａは、その後、側壁６２内に設けられた台座内に収容される。さらに、これらの刃は、例えば、可動であるように配置されてもよい。側壁６２には、弾性指部６４が設けられてもよく、これら弾性指部は、刃６３に対して平行である方向で、カートリッジフレームの内部に向かって延び、刃６３を可動であるように支持する。刃６３は、一対の湾曲した金属片６６によってカートリッジ６０内に保持されてよく、この金属片６６は、刃６３の端部を取り囲み、それによって刃６３を適切な位置で支える。通常、刃端部によって画定された面内に位置する頂壁６１には、シェービング補助具６８Ｂが設けられてもよい。他の実施例では、刃は固定されてもよい。
【００１７】
ハンドル２０は、細長状の把手部を有し（図示せず）、この把手部には、リブ、ペグ、弾性部品などのように、ユーザの把持力を高めかつ滑るのを防ぐのに役立つという特徴が設けられてもよい。ハンドル２０は、好ましくはプラスチック材料から成形されている。ハンドル２０は、図２ａ及び図２ｂに図示するように、ハンドルから延びる２本のヨーク２１内で終端される。ヨーク２１は、シェル支持体２２の形状で設けられてもよい取付部で終端する。シェル支持体２２は、その後、シェーバヘッド４０上に設けられた相補的な凹部４１と協働する。シェル支持体２２と相補的な凹部４１は共に、シェーバヘッド４０が、刃６３の長手に対して平行な軸を中心にして枢動することを可能にする。あるいは、シェル支持体２２は、ヒンジ、ピン、またはその他の枢動手段と置き換えられてもよいし、シェーバヘッド４０は、いかなる枢動手段を備えることなくハンドル２０に取り付けられてもよい。ここでは、枢動ヘッドのみを記述する。
【００１８】
ヨーク２１は、ヨーク２１の間に位置するギャップ２３をさらに画定する。ギャップ２３は、カム従動子２４を収容する。カム従動子は、シェーバヘッド４０に設けられた、弾性部材保持部４３の底部４３Ａと協働し、それにより、シェーバヘッド４０が枢動する際、中立位置にシェーバヘッド４０が戻ることができるようにするものである。カム従動子２４は、好ましくは金属でできているコイルバネ３６によって動作する。
【００１９】
図３、図４ａ、及び図４ｂには、シェーバヘッド４０の一例が示されている。シェーバヘッドは、頂壁４７と、背面構造４８と、底壁４６と、一対の側壁４２と、を備えている。底壁４６は、好ましくはエラストマー材料でできている皮膚接触要素又はガード４４を含んでもよい。背面構造４８は、凹部４１を備え、この凹部は、ハンドル２０の末端に位置するシェル支持体２２を収容する。背面構造４８には、弾性部材保持部４３もある。弾性部材保持部４３は、好ましくは頂壁４７と底壁４６とを連結し、好ましくはシェーバヘッドの中間部分を頂壁４７から底壁４６まで延びている。弾性部材保持部４３は、底部４３Ａと、保持部４３Ｂと、一対のラップ部４３Ｃと、を備えている。
【００２０】
弾性部材保持部４３は、弾性部材４５を保持している。弾性部材保持部の底部４３Ａは、カム従動子２４と協働する。保持部４３Ｂは、好ましくは、それぞれ頂壁４７と底壁４６とから対称に突出している、ペグの形状で設けられる。保持部４３Ｂは、弾性部材４５の平面中央部４５Ａを保持している（図６ａ及び図６ｂ参照）。
【００２１】
シェーバヘッド４０は、カートリッジ６０を収容することができる台座を形成する（そのような台座の詳細は、図４ａに示される）。カートリッジ６０は、好ましくは前面から、すなわち、剃る方向に対して垂直となる方向から挿入される。
【００２２】
カートリッジ６０がシェーバヘッド４０内に挿入されると、カートリッジは弾性部材４５と接触する。弾性部材は、弾性部材保持部４３の一体部分として形成されてもよい。また、弾性部材は、弾性部材保持部４３に収容される、独立部分として形成されてもよい。図面中に示された実施例においては、弾性部材４５は、弾性部材保持部４３に収容された、独立した板バネとして形成されている。
【００２３】
図６ａ及び図６ｂには、板バネの一例が示されている。図面中に示される板バネ４５は、好ましくは金属でできており、そのため弾性がありかつ容易には破壊されないが、プラスチックまたは弾力性を備えた材料など、その他のあらゆる適切な材料で作られてもよい。
【００２４】
板バネ４５は、平面中央部４５Ａを備えている。平面中央部は、図面に示すように、長方形の全体形状であってもよい。平面中央部は、単純な幾何学的形状やそれらの組合せといった、その他の形状で設けられることも可能である。平面中央部４５Ａは、弾性部材保持部４３に挿入されると、好ましくはシェーバヘッド４０の頂壁４７から底壁４６まで延び、弾性部材保持部４３の保持部４３Ｂによって、平面中央部の短辺で保持される。平面中央部４５Ａは、好ましくは、孔４５Ｅをさらに備える。孔４５Ｅは、材料を節約し、かつ／または、板バネ４５の弾力性を向上させるのに役立つことがある。孔は、ヘッドの洗浄を促進させるのに役立つことがある。
【００２５】
平面中央部４５Ａからは、一対の対称的な曲線状の翼部が突出している。翼部は、好ましくは、底部４５Ｂと延伸部４５Ｄと終端部４５Ｃとを備えるＵ字の全体形状をしている。底部４５Ｂは、概して、平面中央部４５Ａによって画定される面よりも下方に位置する。板バネ４５が、シェーバヘッド４０に組み立てられると、底部４５Ｂは、シェーバヘッド４０の背面構造４８の方向に突出する。底部４５Ｂは、ラップ部４３Ｃに当てられ、これによりラップ部４３Ｃによって支持されている。ラップ部４３Ｃは、板バネ４５が広範囲に変形するのを防止するのに役立つものである。延伸部４５Ｄ及び終端部４５Ｃは、概してＣ字形状の突起部を共に形成しており、平面中央部４５Ａによって画定された面に対して、概して平行となる方向に突出している。
【００２６】
翼部の延伸部４５Ｄ及び終端部４５Ｃは、概して、平面中央部４５Ａによって画定される面よりも上方に位置する。板バネ４５が、シェーバヘッド４０に組み立てられると、延伸部４５Ｄ及び終端部４５Ｃは共に、カートリッジの方向に突出する。これらの部品は、カートリッジ６０の背面構造と接するよう構成されており、これによってカートリッジ６０を適切な位置に保持している。
【００２７】
図５ａないし図５ｃに示される一実施例において、カートリッジ６０の背面構造には、一対の保持部６５が設けられており、これら保持部は、板バネ４５の延伸部４５Ｄと終端部４５Ｃとに接することができる。保持部６５は、図５ｂ及び図５ｃに示されるように、好ましくは頂壁６１から底壁６７に向かって延びる平行のバーとして形成される。バーと刃６３またはこれら刃の支持構造といったカートリッジ６０のその他の要素との間には、自由空間がある。
【００２８】
カートリッジ６０が挿入されると、保持部６５は、板バネ４５の延伸部４５Ｄと終端部４５Ｃとに接する。保持部６５は、板バネ４５の延伸部４５Ｄと終端部４５Ｃとにスナップ接続し、そのためカートリッジ６０は、その台座において、シェーバヘッド４０の中に保持される。
【００２９】
カートリッジ６０が、シェーバヘッド４０内に挿入されると、カートリッジ６０は、好ましくはシェーバヘッド４０に対してはあらゆる動きがとれなくなる。シェーバヘッド４０は、ハンドル２０に対して枢動するように取り付けられており、好ましくは、枢動手段２２、４１は、シェーバヘッド４０とハンドル２０とに設けられているが、カートリッジ６０には設けられていない。
【００３０】
上記した機構は、シェーバヘッド４０に設けられた板バネ４５と、カートリッジ６０に設けられた保持部６５と、を使用し、いくつかの利点をもたらすものである。唯一交換される要素はカートリッジ６０であって、このカートリッジは、それ自体には（枢動手段などの）付加的な特徴を有していない。そのため、カートリッジ６０の価格は抑えられ、その製造工程は単純化されることができ、シェーバヘッド４０及びハンドル２０は交換されないので、シェーバヘッド及びハンドルは、価格をリーズナブルに維持しながらも、より堅牢なものとして製造することができる。特に、枢動運動を行うように設けられた枢動手段は、カートリッジと共に交換されることはないので、より信頼性のあるものとして製造することができる。さらに、スナップ接続機構は、製造が容易であり、かつ操作もまた容易である。カートリッジ６０の単純化された設計によりさらに、少量の水でカートリッジ６０を洗浄することが可能であるので、持続可能性という観点からも有益である。
【００３１】
シェーバヘッド４０に隣接したハンドル２０の頂部には、ボタン３０も設けられている（図７ａないし図７ｃ参照）。ボタン３０は、前端部３０Ａ及び後端部３０Ｂを有する。ボタン３０は、ハンドル２０の長手方向に対して概して平行である方向に摺動可能である。ボタン３０の摺動を確実にするために、２対のガイド３４Ａ及び３４Ｂが、ボタン３０のハンドル２０に隣接する部分に設けられている。ガイド３４Ａ、３４Ｂは、ハンドル２０の前部分に設けられたガイドトレイル２７Ａ及び２７Ｂに接し、好ましくは、ガイド３４Ａ及び３４Ｂは、各ガイドトレイル２７Ａ、２７Ｂから確実に外れないようにするために、屈曲下部３５Ａ、３５Ｂが設けられている。このようにして、ガイド３４Ａ、３４Ｂは、ガイドトレイル２７Ａ、２７Ｂと協働すると、ボタン３０をハンドル２０の長さに対して概して平行な方向に摺動させ、ボタン３０がその他の場所に動くのを防ぎ、かつボタン３０がハンドル２０から外れることも防ぐ。
【００３２】
ボタン３０は、ボタン３０の頂部に設けられている指受け部３２を備えている。図７ａに示されるように、指受け部３２には、ユーザの指が滑るのを防ぐために役立つ特徴が設けられてもよい。ユーザが指でボタン３０に触れると、ユーザはボタン３０をシェーバヘッド４０の方向に押してもよい。ボタン３０を初期位置に戻すために、ボタン３０には、コイル台３５が設けられ、このコイル台は、ボタン３０のうちハンドル２０に隣接している後端部３０Ｂに位置している。コイル台３５は、コイルバネ３６と協働する。ボタン３０がユーザによって押されると、コイルバネ３６は圧縮され、ボタン３０が解放されると、コイルバネ３６はボタン３０をその元の位置に戻す。
【００３３】
ボタン３０は、プッシャー３１をさらに備える。プッシャー３１は、ボタンのうちシェーバヘッド４０に隣接している前端部３０Ａ中に位置している。プッシャー３１は、ボタン３０からシェーバヘッド４０の方向に延びる一対の突起物の形状をしている。好ましくは、プッシャー３１の突起部は、保持部６５と対向するように位置しており、これにより保持部６５は、プッシャー３１に容易に達するようになる。
【００３４】
ユーザが、カートリッジ６０を交換したいときは、ユーザはボタン３０を押して、カートリッジ６０が外される。より具体的には、プッシャー３１が保持部６５を押す。保持部６５は、板バネ４５の翼部の延伸部４５Ｄを押す。これにより板バネ４５の翼部は変形し、カートリッジ６０が解除され、シェーバヘッド４０から取り外される。
【００３５】
上記のように、ユーザは自身の指でカートリッジ６０に触れる必要がなくなり、刃６３によってユーザの指を切傷する危険性が減る。
【００３６】
さらに、図７ｂ及び図７ｃに示されるように、ボタン３０は一対の安全装置３３を備える。安全装置３３は、概して、ボタン３０から下方に突出するピンの形状をしている。ハンドルは、ハンドル２０内に削り込まれた溝２６内に、これらの安全装置３３を受容するよう適合している。安全装置３３は、溝２６内を前後に摺動することができ、また、溝の形状をしていることによって、ヨーク２１が誤って互いに接近してしまうのを防ぐものである。ヨーク２１が互いに接近することができないと、ヨークが誤ってシェーバヘッド全体を解除してしまう危険性が減り、よって、ユーザが負傷する危険性を減らす。
【符号の説明】
【００３７】
２０  ハンドル、２１  ヨーク、２２  シェル支持体，取付部，枢動手段、２３  ギャップ、２４  カム従動子、２６  溝、２７Ａ  ガイドトレイル、２７Ｂ  ガイドトレイル、３０  ボタン、３０Ａ  前端部、３０Ｂ  後端部、３１  プッシャー、３２  指受け部、３３  安全装置、３４Ａ  ガイド、３４Ｂ  ガイド、３５  コイル台、３５Ａ  屈曲下部、３５Ｂ  屈曲下部、３６  コイルバネ、４０  シェーバヘッド、４１  凹部，枢動手段、４２  側壁、４３  弾性部材保持部、４３Ａ  底部、４３Ｂ  保持部、４３Ｃ  ラップ部、４４  ガード、４５  弾性部材，板バネ、４５Ａ  平面中央部、４５Ｂ  底部、４５Ｃ  終端部、４５Ｄ  延伸部、４５Ｅ  孔、４６  底壁、４７  頂壁、４８  背面構造、６０  カートリッジ、６１  頂壁、６２  側壁、６３  刃、６３Ａ  刃支持具、６４  弾性指部、６５  保持部、６６  金属片、６７  底壁、６８  シェービング補助具保持部材、６８Ｂ  シェービング補助具
【図１ａ】
0006053955.tif 000002
【図１ｂ】
0006053955.tif 000003
【図１ｃ】
0006053955.tif 000004
【図２ａ】
0006053955.tif 000005
【図２ｂ】
0006053955.tif 000006
【図３】
0006053955.tif 000007
【図４ａ】
0006053955.tif 000008
【図４ｂ】
0006053955.tif 000009
【図５ａ】
0006053955.tif 000010
【図５ｂ】
0006053955.tif 000011
【図５ｃ】
0006053955.tif 000012
【図６ａ】
0006053955.tif 000013
【図６ｂ】
0006053955.tif 000014
【図７ａ】
0006053955.tif 000015
【図７ｂ】
0006053955.tif 000016
【図７ｃ】
0006053955.tif 000017